(57)【特許請求の範囲】
【請求項１】
太陽パネルと周囲環境との間の熱伝達のための熱搬送媒体を含むように適合された第１の導管（１７）を備える太陽パネルであって、前記太陽パネルは、活性物質と揮発性液体とを含む化学ヒート・ポンプ（３）を備えており、前記揮発性液体は、第１の温度で前記物質によって吸収され、より高い第２の温度で前記物質によって脱着されることができ、前記化学ヒート・ポンプが、
長手方向を有し、反応器部分を含む第１の部分（３ａ）であって、前記反応器部分は、前記活性物質を含み、熱搬送媒体によって加熱及び冷却されるように適合されており、太陽からの放射が前記化学ヒート・ポンプの蓄熱のために前記太陽パネルを照らすとき、前記第１の部分が太陽光によって加熱されるように配置される、第１の部分（３ａ）と、
凝縮形態で揮発性液体を含み、熱搬送媒体によって加熱及び冷却されるように適合された蒸発器／凝縮器部分と、
前記揮発性液体のガス相のための通路であって、前記反応器部分と前記蒸発器／凝縮器部分とを互いに連結させる通路とを備える、太陽パネルにおいて、
前記化学ヒート・ポンプ（３）が、密閉されたユニティ・チューブとして設計され、
前記第１の導管（１７）が、前記第１の部分（３ａ）の上を、前記第１の部分における前記ユニティ・チューブ（３）と熱伝導接触して前記第１の部分の長手方向に延び、
前記化学ヒート・ポンプの前記蒸発器／凝縮器部分を備える前記ユニティ・チューブ（３）の第２の部分（３ｅ）が、前記第１の部分（３ａ）のすぐ近位に、太陽からの光線の方向で見て前記第１の部分（３ａ）の後方に置かれるように配置されることを特徴とする、太陽パネル。
【請求項２】
第１の伝熱部（１３ａ）が、太陽放射を熱へ変換するための表面（１１）を備えて設計されており、前記第１の部分（３ａ）と熱伝導接触する、請求項１に記載の太陽パネル。
【請求項３】
前記第１の伝熱部（１３ａ）が、前記第１の導管（１７）とも熱伝導接触する、請求項２に記載の太陽パネル。
【請求項４】
前記ユニティ・チューブ（３）が、断熱部（５ａ、５ｅ）によって取り囲まれる、請求項１から３までのいずれか一項に記載の太陽パネル。
【請求項５】
前記ユニティ・チューブ（３）が、真空空間を含む魔法瓶タイプの断熱部によって取り囲まれる、請求項４に記載の太陽パネル。
【請求項６】
前記断熱部（５ａ、５ｅ）が、外壁と内壁の間に配置された真空空間を含む前記魔法瓶タイプのものであり、前記第１の部分（３ａ）の上方向を向く表面の前記内壁は、第１の伝熱部（１３ａ）を含み、前記第１の伝熱部（１３ａ）は、太陽放射を熱に変換するように適合された表面（１１）であり、又は前記表面（１１）を有し、前記第１の部分（３ａ）と熱伝導接触している、請求項４に記載の太陽パネル。
【請求項７】
前記第１の伝熱部（１３ａ）は、前記第１の導管（１７）とも熱伝導接触している、請求項６に記載の太陽パネル。
【請求項８】
前記ユニティ・チューブ（３）の第２の部分（３ｅ）が存在し、前記第２の部分（３ｅ）は、前記化学ヒート・ポンプの前記蒸発器／凝縮器部分を含み、太陽からの放射が前記太陽パネルを照らすとき、前記第２の部分が前記第１の部分（３ａ）より少なく加熱されるように設計及び／又は配置される、請求項１から７までのいずれか一項に記載の太陽パネル。
【請求項９】
第１の伝熱部（１３ａ）が、前記第１の部分（３ａ）及び前記第１の導管（１７）と直接的に熱伝導接触して配置される、請求項１から８までのいずれか一項に記載の太陽パネル。
【請求項１０】
前記第１の伝熱部（１３ａ）が、前記第１の部分（３ａ）と接触し、シート又は湾曲パネルの形状を有する内側部分（１５ｉ）であって、前記第１の部分の一部又は本質的にはその全体を取り囲む内側部分（１５ｉ）を含む、請求項９に記載の太陽パネル。
【請求項１１】
前記第１の伝熱部（１３ａ）が、本質的には前記内側部分（１５ｉ）全体を取り囲む外側部分（１５ｏ）を含む、請求項１０に記載の太陽パネル。
【請求項１２】
前記第１の伝熱部（１３ａ）の前記内側及び外側部分（１５ｉ、１５ｏ）が、前記第１の導管（１７）の表面に直接押し付けられて配置された中間部分（１５ｂ）によって連結される、請求項１１に記載の太陽パネル。
【請求項１３】
前記ユニティ・チューブ（３）の前記第１の部分（３ａ）が、外壁と内壁の間に位置する真空空間を含む魔法瓶タイプの断熱部（５ａ）によって取り囲まれ、
前記第１の伝熱部（１３ａ）が、前記断熱部（５ａ）の前記内壁、前記第１の部分（３ａ）、及び前記第１の導管（１７）に押し付けられて配置される、請求項９から１２までのいずれか一項に記載の太陽パネル。
【請求項１４】
前記第１の伝熱部（１３ａ）が、内側部分（１５ｉ）及び外側部分（１５ｏ）を含み、前記外側部分は、本質的には前記内側部分全体を取り囲み、前記断熱部（５ａ）の前記内壁に押し付けられて配置される、請求項１３に記載の太陽パネル。
【請求項１５】
前記化学ヒート・ポンプの前記蒸発器／凝縮器部分を含む前記ユニティ・チューブ（３）の第２の部分（３ｅ）と直接的に熱伝導接触して、及び前記太陽パネルと周囲環境の間の熱交換のための熱搬送媒体を含むように、前記熱搬送媒体の分配システムに連結するように適合されるように設計された第２の導管と直接的に熱伝導接触して配置された、第２の伝熱部（１３ｅ）が存在する、請求項１から１４までのいずれか一項に太陽パネル。
【請求項１６】
前記第２の伝熱部（１３ｅ）が、前記第２の部分（３ｅ）に押し付けられて配置された内側部分であって、シート又は湾曲パネルの形状を有し、前記第２の部分（３ｅ）の一部又は本質的にはその全体を取り囲む、内側部分を含む、請求項１５に記載の太陽パネル。
【請求項１７】
前記第２の伝熱部（１３ｅ）が、本質的には前記内側部分全体を取り囲む外側部分を含む、請求項１６に記載の太陽パネル。
【請求項１８】
前記第２の伝熱部（１３ｅ）の前記内側及び外側部分は、前記第２の導管の表面に直接押し付けられて配置された中間部分によって連結される、請求項１７に記載の太陽パネル。
【請求項１９】
前記第１の部分（３ａ）の加熱のために太陽光を反射するように配置された、反射体（７）が存在する、請求項１から１８までのいずれか一項に太陽パネル。
【請求項２０】
前記反射体（７）が、隣接して配置された複数の第１のユニティ・チューブ（３）及び関連する第１の導管（１７）のための、太陽光の反射のための第１の部分を含む反射体パネル（７’）の一部分である、請求項１９に記載の太陽パネル。
【請求項２１】
前記反射体パネル（７’）が、前記反射体（７）間に配置され、前記化学ヒート・ポンプの前記蒸発器／凝縮器部分を含む第２のユニティ・チューブ（３）の第２の部分（３ｅ）の取り込み部として配置された第２の部分（７”）であって、前記第１のユニティ・チューブ及び関連する前記第１の導管（１７）の間に配置された第２の部分（７”）を含む、請求項２０に記載の太陽パネル。
【発明の詳細な説明】
【技術分野】
【０００１】
本発明は、拡張機能を備えた太陽パネルに関する。
【背景技術】
【０００２】
一体化された太陽パネルを備えた化学ヒート・ポンプが、公開済み国際特許出願の国際公開第２００９／０７００９０号に開示されている。そのような化学ヒート・ポンプでは、ユニット・チューブを使用することができ、その基本構造もまた、公開済み国際特許出願の国際公開第２００７／１３９４７６号に開示されている。ユニティ・チューブはまた、公開済み特許出願の国際公開第２００９／１５４５３７号に開示されたシステムでも使用される。
【０００３】
化学ヒート・ポンプの原理はよく知られており、たとえば米国特許第５，４４０，８８９号、米国特許第５，０５６，５９１号、米国特許第４，９９３，２３９号、米国特許第４，７５４，８０５号、及び公開済み国際特許出願の国際公開第９４／２１９７３号、国際公開第００／３１２０６号、国際公開第００／３７８６４号、及び国際公開第２００５／０５４７５７号を参照されたい。化学ヒート・ポンプ内には、ヒート・ポンプ内で処理を実行する活性物質が存在し、活性物質は、揮発性媒体、すなわち双極性液体の、たいていの場合は水である吸収剤と共に作用する。
【０００４】
化学ヒート・ポンプは、上記で述べたようにユニット・チューブを備えることができる。そのような実施例では、ヒート・ポンプの反応器部分及び蒸発器／凝縮器部分は、完全に封止された同じチューブ内にある。そのようなヒート・ポンプの冷却及び加熱は、壁のさまざまな部分によって、したがって封止されたチューブのさまざまな壁部分を通じて行われる。そのようなユニット・チューブは、いかなる可動部分も含まず、特に外側の制御可能なバルブからのいかなるものも含まず、完全な受動装置であると言うことができる。
【０００５】
太陽エネルギーが、熱搬送媒体、たとえば水を加熱するために使用される太陽パネルは、大きくて速い温度変動、湿度変化、及び機械的応力などの巨大な応力を受ける。当然のことながら、効率性が高く、さまざまな用途に広く一般的に使用できる太陽パネルを設計できることが、主に経済的利益になるものである。最も簡単な形態の太陽パネルは、水などの熱搬送媒体のためのチューブを備え、このチューブは、これらが太陽からの照射によって加熱される部分を有し、それによってそれらの部分内にその量の熱搬送媒体も有するように置かれる。加熱された熱搬送媒体は、たとえば建物の加熱若しくは蛇口温水としての使用に利用できる場所まで又はその後の使用のために貯蔵できる場所まで輸送される。
【０００６】
上記で説明した、公開済み国際特許出願の国際公開第２００９／０７００９０号による、一体化された太陽熱パネルを備える化学ヒート・ポンプでは、化学ヒート・ポンプの一部は太陽熱パネルである。そのような太陽熱パネルの欠点は、化学ヒート・ポンプ及び太陽熱パネルの両方は、使用分野が減少してきていることである。
【０００７】
公開済み米国特許第４，１８７，６８８号では、太陽エネルギーによって駆動される化学ヒート・ポンプが開示されている。ヒート・ポンプは、互いに隣に置かれた多数の連結されたユニット１００を備え、それは、それぞれ１本のチューブから構成される。これらのチューブは、それ自体化学ヒート・ポンプであり、一方の端部に反応器部分１０２及び反対の端部に蒸発器／凝縮器部分１０４を含む（図１３及び図１４を参照されたい）。各チューブ・ユニットの反応器部分と横断チューブ１１６の間の熱交換は、熱交換ループ１２３によって行われる。チューブ・ユニット１００では、したがって熱交換ループ用チューブ内への通路及びさらには電気ワイヤのための通路も存在する。さらに、各々のチューブ・ユニット内には電気制御された弁１０が存在する。
【先行技術文献】
【特許文献】
【０００８】
【特許文献１】国際公開第２００９／０７００９０号
【特許文献２】国際公開第２００７／１３９４７６号
【特許文献３】国際公開第２００９／１５４５３７号
【特許文献４】米国特許第５，４４０，８８９号
【特許文献５】米国特許第５，０５６，５９１号
【特許文献６】米国特許第４，９９３，２３９号
【特許文献７】米国特許第４，７５４，８０５号
【特許文献８】国際公開第９４／２１９７３号
【特許文献９】国際公開第００／３１２０６号
【特許文献１０】国際公開第００／３７８６４号
【特許文献１１】国際公開第２００５／０５４７５７号
【特許文献１２】米国特許第４，１８７，６８８号
【発明の概要】
【発明が解決しようとする課題】
【０００９】
本発明の目的は、従来技術の欠点の少なくとも一部を少なくとも部分的に取り除き、太陽エネルギーを効率的に使用するための太陽熱パネルを提供することである。
【課題を解決するための手段】
【００１０】
第１の態様では、太陽パネルと周囲の間の熱交換のための熱搬送媒体を含むように適合された、第１のチューブ１７を備える太陽パネルであって、太陽パネルは、活性物質と揮発性液体とを含む化学ヒート・ポンプ３を備えており、揮発性液体は、第１の温度でこの物質によって吸収され、より高い第２の温度でこの物質によって脱着される能力を有し、化学ヒート・ポンプは、
長手方向を有し、反応器部分を含む第１の部分３ａであって、反応器部分は、活性物質を含み、外部媒体によって加熱及び冷却されるように適合されており、太陽放射が、化学ヒート・ポンプの蓄熱のために太陽パネルに当たるとき、第１の部分が太陽光によって加熱されるように配置される、第１の部分３ａと、
凝縮形態で揮発性液体を含み、外部媒体によって加熱及び冷却されるように適合された蒸発器／凝縮器部分と、
揮発性液体の蒸気相のための通路であって、反応器部分と蒸発器／凝縮器部分とを互いに連結させる通路とを備える、太陽パネルにおいて、
化学ヒート・ポンプ３が、密閉されたユニット・チューブとして設計され、
第１の部分３ａの上の第１の導管１７が、第１の部分内でユニット・チューブ３と熱交換接触して第１の部分の長手方向に置かれる、太陽パネルが提供される。
【００１１】
第２の態様では、活性物質と揮発性液体とを含む化学ヒート・ポンプ３であって、揮発性液体は、第１の温度でこの物質によって吸収され、より高い第２の温度でこの物質によって脱着される能力を有し、活性物質は、第１の温度では固体状態を有し、その状態から、活性物質は、揮発性液体及びそのガス相の吸収中、直ちに液体状態又は溶液に部分的に変換し、第２の温度では液体状態を有し又は溶液として存在し、その状態から、活性物質は、揮発性液体、特にそのガス相の放出時、直ちに固体状態に部分的に変換し、化学ヒート・ポンプは、
外部媒体によって加熱及び冷却されるように設計された反応器部分であって、活性物質の母材を含み、それにより、固体状態及び液体状態又は溶液相のいずれの活性物質も、母材内に保持され及び／又はこれに結合される、反応器部分と、
外部媒体によって加熱及び冷却されるように適合され、凝縮された形態で存在する揮発性液体の部分を含む蒸発器部分／凝縮器部分であって、揮発性液体に対して透過性である多孔質材料を含む、蒸発器部分／凝縮器部分と、
ガス相の揮発性液体のための通路であって、反応器部分と蒸発器／凝縮器部分を互いに連結させる通路とを備える、化学ヒート・ポンプにおいて、
反応器部分がチューブの第１の部分内に配置され、蒸発器／凝縮器部分がチューブの第２の部分内に配置され、この場合母材及び透過性材料が、中央の貫通通路が各チューブ内に存在するようにチューブの各部分内の壁にストリップとして置かれることを特徴とする、化学ヒート・ポンプが提供される。
【００１２】
別の実施例及び態様は、本明細書に組み込まれた従属請求項で提供される。
【００１３】
化学ヒート・ポンプは太陽熱パネル内に収容される。太陽熱パネル及び化学ヒート・ポンプは、必ずしも互いに一体化される必要はない。したがってそのような太陽熱パネルの使用分野は、以前の知られている太陽熱パネルと比べて拡張される。
【００１４】
化学ヒート・ポンプは、比較的細長いものでよい、ユニティ・チューブのタイプの閉鎖チューブとして設計される。ユニティ・チューブの半分の一方、より全体的には第１の端部にある部分は、ヒート・ポンプの反応器部分であり、又はこれを含み、蓄積部とも呼ばれており、ユニティ・チューブの半分の他方、又はより全体的には第２の端部にある部分は、ヒート・ポンプの蒸発器／凝縮器部分であり、又はこれを含む。ユニティ・チューブの半分のそれぞれ、又は両方の端部は、必要であれば、断熱部内にそれぞれ配置することができ、この場合化学ヒート・ポンプの反応器部分に配置された少なくとも断熱部は、光を通す。断熱部は、たとえば魔法瓶タイプのものでよく、たとえば真空空間を含むことができる。
【００１５】
ユニティ・チューブは、完全閉鎖型の装置であり、その壁には管類、特に熱搬送媒体などの流体のためのチャネル及び電気ワイヤは全く通っていない。反応器部分及び蒸発器／凝縮器部分は、ユニティ・チューブの内部で構成された同じ完全な閉鎖空間内にある。反応器部分及び蒸発器／凝縮器部分の冷却及び加熱それぞれは、閉鎖チューブ内のさまざまな壁部分を通して実行される。ユニティ・チューブはいかなる可動部分も含まない。ユニティ・チューブは、その内部空間内に、反応器部分が中に存在する第１の空間、蒸発器／凝縮器部分が中に存在する第２の空間、及び２つの述べた空間を連結するチャネルを構成する第３の空間を含む。
【００１６】
反応器部分を含むユニティ・チューブの第１の部分及び蒸発器／凝縮器チューブを含むユニティ・チューブの第２の部分はまた、水などの熱搬送媒体の冷却又は加熱のための熱交換器又は伝熱部によってそれぞれ取り囲まれる。ユニティ・チューブの第１の部分には、太陽パネル表面が任意選択で配置され、この太陽パネル表面は、放射受け入れ部の一部であり、太陽から入来する放射を熱に変換するように適合される。太陽パネル表面は、たとえば断熱部内若しくはそれ上、又は伝熱部上に配置することができる。蒸発器／凝縮器部分を構成する又は含むユニティ・チューブの第２の部分では、そのような太陽放射受け入れ部は存在しない。太陽放射受け入れ表面が存在しないことにより、またそのような部分が配置される場合にユニティ・チューブの第２の部分を取り囲む断熱部により、第２の部分の加熱は第１の部分の加熱より少なく、特にかなり少なくなることができ、それにより、第１の部分は、太陽からの放射が太陽パネルに向けられたとき、第１の部分内の温度より低い温度を保持する。これは、第２の部分が、太陽パネルのところ又はその内側など、第１の部分のすぐ隣に配置され、たとえば太陽からの光線によって放射される場合であっても当てはまる。
【００１７】
したがって、太陽からのエネルギーによる冷却に使用することができるように拡張機能を備えたより効果的な太陽熱パネルが実現可能である。
【００１８】
さらに、化学ヒート・ポンプは、ハイブリッド原理に従って作用し、特定の効率的な設計を有することができる。
【００１９】
したがって、ユニティ・チューブとして設計された化学ヒート・ポンプは、たとえば真空封止されたチューブを備え、それにより、ユニティ・チューブの第１の端部にある部分は蒸発器／凝縮器として利用され、ユニティ・チューブの第２の端部にある部分は反応器として利用され、２つのチューブ部分間の空間は蒸気輸送に利用されるようになる。化学ヒート・ポンプ内の処理は、いわゆるハイブリッド原理に従って実施され得る。たとえば、上記で述べた、公開済み国際特許出願の国際公開第００／３７８６４号及び国際公開第２００７／１３９４７６号を参照されたい。ハイブリッドプロセスは、２つの段階、蓄熱段階及び放熱段階を含む。蓄熱段階中、反応器部分内にある塩が乾燥され、それにより、リガンド又は吸収媒体、たとえば水が塩から放出され、ガス相で蒸発器部分／凝縮器部分まで輸送され、そこで凝縮される。塩中で先に結合されたリガンド又は吸収された媒体の大部分が、蒸発器／凝縮器に伝達されるとき、化学ヒート・ポンプは蓄熱される。放熱段階では、リガンドは反対方向に移動され、ここでも塩と結合される。このプロセスの利点は、加熱及び冷却を他のヒート・ポンプと同様に達成できることである。
【００２０】
さらに、塩を運び、保持するために、母材が化学ヒート・ポンプ内で使用されてよく、塩は、一般に固定状態並びに液体状態及び溶液の両状態の活性物質として示される（公開済み国際特許出願の国際公開第２００７／１３９４７６号を参照されたい）。そのような母材は通常、酸化アルミニウムなどの不活性材料であり、これは、リガンドのガス相に対して透過性である孔を有する。壁の孔には物質が結合される。母材は、全般的には分離粒子を含む材料のものでよく、圧縮された繊維材料の粉体の形態でもよい。
【００２１】
化学ヒート・ポンプは、全般的に、容易に太陽パネルに一体化させることができ、又はその一部になることができるように設計可能である。化学ヒート・ポンプはまた、連続プロセスにおいて製造し、それによって大量製造を容易にすると同時に低い製造コストを達成することができるように設計可能でもある。
【００２２】
一体化された化学ヒート・ポンプを備える太陽熱パネルは、適切な設計を備えた少なくとも一定のケースでは、以下の利点うち１つ又は複数を有することができる。
【００２３】
太陽からの放射はほとんど直接的に化学ヒート・ポンプの反応器部分を照らし、それにより、媒介する油圧エネルギーの伝達、それによる関連する熱交換も完全に解消することができるようになる。それによって、そうでなければ全エネルギーの約１５〜４０％になり得る熱損失が回避され、これは、太陽熱パネルが、太陽からのエネルギーのより高い収率を達成することを意味する。各々の太陽パネルにおけるより高い収率により、特許請求するタイプの太陽パネルを備える太陽パネル組立体は、吸収ヒート・ポンプを組み合わせた従来の太陽パネルを備える太陽パネル組立体と比べてそのサイズを低減することができる。このため、太陽光発電所にかかるコストが低減され、最終ユーザに対する払い戻しが低減される。
【００２４】
化学ヒート・ポンプの反応器部分内のより高い温度は、照射によって得ることができ、それにより、より大きい温度差ΔΤを有する他の塩を使用することができ、この場合化学ヒート・ポンプは、自由エネルギー源による比較的低温から、有用な（高エネルギー）の熱エネルギーを生成することができ、又はたとえば３５℃の空気などの高温の自由源から有用な冷却を生成することができる。これは、ヒートシンクを得るコストを下げることができることを意味する。
【００２５】
熱搬送媒体のための分配油圧システムが、より簡単に且つより低コストで設計可能である。
【００２６】
本発明のさらなる目的及び利点は、本説明の中で与えられ、本説明から部分的に明確になり、又は本発明を機能させることによって経験から知ることができる。本発明の目的及び利点は、添付の特許請求の範囲において与える、方法、プロセス、機関、及び組み合わせによって理解され、得ることができる。
【００２７】
本発明の新規の特徴を、特に付属の特許請求の範囲において明示するが、本発明の機構及び内容の両方について、上記で与えられたもの、及び他の特徴の十分な理解は、付属の図を参照して以下で説明される非限定の実施例の以下の詳細な説明を考慮することによって得られ、本発明がより良好に理解される。
【図面の簡単な説明】
【００２８】
【図１】真っすぐなユニット・チューブとして設計された化学ヒート・ポンプを備える太陽熱パネルの斜視図である。
【図２ａ】図１に類似するが、湾曲したチューブを示す図である。
【図２ｂ】化学ヒート・ポンプの内部設計の第１の実施例の斜視図である。
【図２ｃ】化学ヒート・ポンプの内部設計の第２の実施例の斜視図である。
【図２ｄ】化学ヒート・ポンプの内部設計の第３の実施例の斜視図である。
【図３】ユニット・チューブとして設計された化学ヒート・ポンプ及び熱交換器を備える真空太陽パネルのタイプの太陽熱パネルの断面図である。
【図４】図３の熱交換器の断面図である。
【図５ａ】太陽パネル・モジュールに組み立てられた複数の太陽パネルの斜視図である。
【図５ｂ】太陽パネル・プラントに組み立てられた複数の太陽モジュールの斜視図である。
【図６】建物の加熱及び冷却のための太陽パネル・モジュールの概略図である。
【図７ａ】冬季の日中の太陽パネル・システムの機能を示す、図６に類似する概略図である。
【図７ｂ】冬季の夜間の太陽パネル・システムの機能を示す、図６に類似する概略図である。
【図７ｃ】夏季の日中の太陽パネル・システムの機能を示す、図６に類似する概略図である。
【図７ｄ】夏季の夜間の太陽パネル・システムの機能を示す、図６に類似する概略図である。
【発明を実施するための形態】
【００２９】
第１の態様では、太陽パネルと周囲環境の間の熱伝達のための熱搬送媒体を含むように適合された第１の導管１７を備える太陽パネルであって、太陽パネルは、活性物質と揮発性液体とを含む化学ヒート・ポンプ３を備えており、揮発性液体は、第１の温度でこの物質によって吸収され、より高い第２の温度でこの物質によって脱着されることができる化学ヒート・ポンプは、
長手方向を有し、反応器部分を含む第１の部分３ａであって、反応器部分は、活性物質を含み、外部媒体によって加熱及び冷却されるように適合されており、太陽からの放射が、化学ヒート・ポンプの蓄熱のために太陽パネルを照らすとき、第１の部分が太陽光によって加熱されるように配置される、第１の部分３ａと、
凝縮形態で揮発性液体を含み、外部媒体によって加熱及び冷却されるように適合された蒸発器／凝縮器部分と、
揮発性液体のガス相のための通路であって、反応器部分と蒸発器／凝縮器部分を互いに連結させる通路とを備え、
化学ヒート・ポンプ３が、密閉されたユニット・チューブとして設計され、第１の部分３ａの上の第１の導管１７が、第１の部分内でユニティ・チューブ３と熱伝導接触して第１の部分の長手方向に延びる、太陽パネルが提供される。
【００３０】
１つの実施例では、太陽放射から熱への変換のための表面を備えて設計され、第１の部分３ａ、特に第１の導管１７とも熱伝導接触する、第１の伝熱部１３ａが存在する。
【００３１】
１つの実施例では、ユニティ・チューブ３は、断熱部５ａ、５ｅによって、特に真空空間を含む魔法瓶タイプの断熱部によって取り囲まれる。１つの実施例では、真空空間を含む魔法瓶タイプの断熱部５ａ、５ｅは、外壁と内側の間に配置され、この場合第１の部分３ａの上方向に向けられた表面にある内壁は、第１の伝熱部１３ａを含み、この第１の伝熱部１３ａは、太陽放射を熱に変換するように適合された表面１１であり、又はこれを有し、第１の部分３ａ、特に第１の導管１７とも熱伝導接触している。
【００３２】
１つの実施例では、ユニティ・チューブ３の第２の部分３ｅが存在し、この第２の部分３ｅは、化学ヒート・ポンプの蒸発器／凝縮器部分を含み、太陽からの放射が太陽パネルを照らすとき、第２の部分が第１の部分３ｅより少なく加熱されるように、特に第２の部分が第１の部分よりかなり少なく加熱されるように設計及び／又は配置される。
【００３３】
１つの実施例では、化学ヒート・ポンプの蒸発器／凝縮器部分を含むユニット・チューブの第２の部分３ｅは、第１の部分３ａのすぐ近位に、特に、太陽からの光線の方向で見て第１の部分３ａの後方に置かれるように配置される。
【００３４】
１つの例では、第１の伝熱部１３ａが、第１の部分３ａ及び第１の部分１７と直接的に熱伝導接触して配置される。
【００３５】
１つの実施例では、第１の伝熱部１３ａは、第１の部分３ａと接触し、シート又は湾曲パネルの形状を有する内側部分１５ｉであって、第１の部分の一部又は本質的にはその全体を取り囲む内側部分１５ｉを含む。
【００３６】
１つの実施例では、第１の伝熱部１３ａは、本質的には内側部分１５ｉ全体を取り囲む外側部分１５ｏを含む。
【００３７】
１つの実施例では、第１の伝熱部１３ａの内側部分１５ｉ及び外側部分１５ｏは、第１の導管１７の表面に直接押し付けられて配置された中間部分１５ｂによって連結される。
【００３８】
１つの実施例では、ユニティ・チューブの第１の部分３ａは、外壁と内壁の間に位置する真空空間を含む魔法瓶タイプの断熱部５ａによって取り囲まれ、第１の伝熱部１３ａは、断熱部５ａの内壁、第１の部分３ａ、及び第１の導管１７に押し付けられて配置される。
【００３９】
１つの実施例では、第１の伝熱部１３ａは内側部分１５ｉ及び外側部分１５ｏを含み、この場合外側部分は、本質的には内側部分全体を取り囲み、断熱部５ａの内壁に押し付けられて配置される。
【００４０】
１つの実施例では、化学ヒート・ポンプの蒸発器／凝縮器部分を含むユニティ・チューブ３の第２の部分３ｅと直接的に熱伝導接触して、また太陽パネルと周囲環境の間の熱交換のための熱搬送媒体を含むように、特に熱搬送媒体の分配システムに連結するように適合されるように設計された第２の導管と直接的に熱伝導接触して配置された、第２の伝熱部１３ｅが存在する。
【００４１】
１つの実施例では、第２の伝熱部１３ｅは第２の部分３ｅに押し付けられて配置された内側部分を含み、この場合内側部分は、特にシート又は湾曲パネルの形状を有し、第２の部分３ｅの一部又は本質的にはその全体を取り囲む。
【００４２】
１つの実施例では、第２の伝熱部１３ｅは、本質的には内側部分全体を取り囲む外側部分を含む。
【００４３】
１つの実施例では、第２の伝熱部１３ｅの内側部分及び外側部分は、第２の導管の表面に直接押し付けられて配置された中間部分によって連結される。
【００４４】
１つの実施例では、第１の部分３ａの加熱のために太陽光を反射するように配置された、太陽光のための反射体７が存在する。
【００４５】
１つの実施例では、反射体７は、隣接して配置される複数の第１のユニティ・チューブ３及び関連する第１の導管１７の、太陽光の反射のための第１の部分を含む反射体パネル７’の一部分である。
【００４６】
１つの実施例では、反射体パネル７’は、反射体７間に配置され、化学ヒート・ポンプの蒸発器／凝縮器部分を含む第２のユニティ・チューブ３の第２の部分３ｅの取り込み部として配置された第２の部分７”であって、第１のユニティ・チューブ及び関連する第１の導管１７の間に配置された第２の部分７”を含む。
【００４７】
第２の態様では、活性物質と揮発性液体とを含む化学ヒート・ポンプであって、揮発性液体は、第１の温度でこの物質によって吸収され、より高い第２の温度でこの物質によって脱着されることができ、この場合活性物質は、第１の温度では固体状態を有し、その状態から、活性物質は、揮発性液体及びそのガス相の取り込み中、直ちに液体状態又は溶液相に部分的に変換し、第２の温度では液体状態又は溶液中にあり、その状態から、活性物質は、揮発性液体、特にそのガス相の放出中、直ちに固体状態に部分的に変換し、化学ヒート・ポンプは、
外部媒体によって加熱及び冷却されるように設計された反応器部分であって、活性物質の母材を含み、それにより、固体状態及び液体状態又は溶液中のいずれの活性物質も、母材内に保持され及び／又はこれに結合される、反応器部分と、
外部媒体によって加熱及び冷却されるように設計され、凝縮された形態で存在する揮発性液体の部分を含む蒸発器／凝縮器であって、揮発性液体に対して透過性である多孔質材料を含む、蒸発器／凝縮器と、
揮発性液体のガス相のための通路であって、反応器部分と蒸発器／凝縮器部分を互いに連結させる通路とを備え、
この場合、反応器部分は、チューブの第１の部分内に配置され、蒸発器／凝縮器部分はチューブの第２の部分内に配置され、母材及び透過性材料は、チューブの各部分内の壁にリボンの形態で配置され、チューブの各部分内に中央の貫通通路が存在するようになっている、化学ヒート・ポンプが提供される。
【００４８】
１つの実施例では、ガスを母材及び透過性材料へ並びに母材及び透過性材料それぞれから輸送することを容易にするために、母材及び透過性材料は、開口部が少なくとも部分的に設けられた熱伝導材料によって所定の位置に制限又は保持される。
【００４９】
１つの実施例では、母材及び透過性材料は、中央に穴を含むワッシャ間に置かれた層として配置される。
【００５０】
１つの実施例では、母材は、らせんとして、透過性材料によって制限されて配置される。
【００５１】
太陽熱パネルは、ユニット・チューブのタイプの化学ヒート・ポンプ３を備え（上記で述べた国際特許出願の国際公開第２００７／１３９４７６号及び国際公開第２００９／０７００９０号を参照されたい）、このユニット・チューブは、完全に密閉されたチューブとして設計され、軸を有し、比較的細長いものでよく、すなわち直径と長さの間の関係が少なくとも１：１０であり、より一般的には１：２０を有する（図１を参照されたい）。たとえばチューブの約半分に対応する、又はチューブの全長よりわずかに短い長さを有する、チューブの一方の端部の第１の部分３ａは、化学ヒート・ポンプの反応器部分を構成し又は含み、たとえば、これもまた、チューブの半分に対応する又はチューブの全長よりわずかに短い長さを有する、チューブの他方の端部の第２の部分３ｅは、化学ヒート・ポンプの蒸発器／凝縮器部分を構成し又は含む。上記で述べた国際特許出願で示されたものとは異なる内部設計を有する化学ヒート・ポンプもまた、当然ながら、固体又は液体の活性物質又は吸収剤を有する化学ヒート・ポンプとして使用することができる。
【００５２】
ユニット・チューブ３は、中間部分３ｃによって互いに連結された第１の部分３ａ及び第２の部分３ｅを含む。ユニティ・チューブのこれらの異なる部分は、それぞれが対応する内部容積を含み、これを封入するチューブである。中間部分３ｃの内部容積は、揮発性液体のガス相が、第１の部分３ａと第２の部分３ｅの内部容積間、すなわち化学ヒート・ポンプの反応器部分と蒸発器／凝縮器部分の間を通過するための導管を構成する。中間部分３ｃ内のチューブは、１つの実施例では、ユニティ・チューブ３の端部にあるチューブより狭い。図１に示すように、ユニティ・チューブは、１つの実施例では、その異なる部分３ａ、３ｅ、３ｃが、同じ長手方向軸を有するように、本質的に真っすぐな設計を有する。これら異なる部分は、１つの実施例では、円状円筒形などの円筒形であり、このときこれらは、適切には同軸でもあり、すなわち同じ対称軸を共有する。他の実施例が可能であり、たとえば第１の部分３ａ及び第２の部分３ｅは、真っすぐな長手方向軸を備えた本質的に真っすぐな設計を有することができるが、一方で中間部分３ｃは湾曲している（図２ａを参照されたい）。第１の部分３ａ及び第２の部分３ｅは、このとき互いに対して平行でよく、すなわちこれらの長手方向軸は平行であり、これらはたとえば互いに隣に又は互いに内側にあることができる。中間部分３ｃは、それによってＵ字として成形され、すなわちこれは、中間部分３ｃを通って流れる流体の流れの方向を１８０°変更する。
【００５３】
ユニティ・チューブ３の第１の領域３ａ及び第２の領域３ｅは、断熱部５ａ、５ｅそれぞれ内に封入されてよく、又は配置されてよい。断熱部５ａ、５ｅは、断熱層、断熱シェル、又は断熱パネルでよい。断熱部５ａ、５ｅは、ユニティ・チューブ３から及びそこへの熱の伝導を防止し、すなわちこれは、ユニティ・チューブと断熱された部分の外側の周囲との熱交換を防止し、これらは、魔法瓶タイプのものでよく、たとえば真空空間を含む。反応器部分を含むユニティ・チューブの部分にある少なくとも断熱部５ａは、少なくとも部分的に光を通すものでよく、すなわち光、特に太陽光を伝えることができる。そのような断熱部５ａは二重壁のグラスチューブでよく、ここではその両方の壁、すなわちその内壁とその外壁の間の空間は、封止及び真空化され、すなわち本質的に真空、又はたとえば非常に低圧のガスなどの低圧のガスを含む（図３を参照されたい）。この実施例の断熱部５ａ、５ｅは、ユニティ・チューブ３の両方の部分３ａ、３ｅで使用されてよい。
【００５４】
反応器部分を含むユニティ・チューブ３の第１の部分３ａにはさらに、反射体７を配置することができる（図５ａを参照されたい）。そのような反射体７は、光反射表面を有し、１つ又は複数の所定の方向に、ユニティ・チューブの第１の部分、特にこの部分の太陽光吸収表面に落ちる光を反射する（以下を参照されたい）。関連する断熱部５ａ、５ｅを備えたユニティ・チューブ３及び反射体７は、太陽パネル又は太陽パネル・ユニット又は太陽パネル要素９を構成することができる。反射体７は、反射体７’として適切に湾曲した金属パネルを備えてよく、この反射体パネル７’は、図示するように、互いの隣にある複数の太陽パネル９のための反射体を構成する湾曲した部分を備えることができる。太陽パネル・モジュール９’は、同じ金属パネル製の反射体７を有する、いくつかの太陽パネル９を備えることができる。
【００５５】
複数の太陽パネル・モジュール９’は、エネルギーの必要性に関連して連結され得る（図５ｂを参照されたい）。真っすぐなユニティ・チューブ３の場合で示すように、各モジュール９’内の反射体パネル７’は、別の太陽パネル・モジュールのユニティ・チューブの他の部分３ｅを保持するのに適した第２の部分７”を有することができる。これらの部分は、他の領域に向かって太陽光を反射しないように設計され得る。反射体パネル７’のプロファイルはここでは、パネルの断面にわたる通路に見られるように、たとえば最初にユニティ・チューブの第１の部分３ａに向かって太陽光を反射するように適合された反射体７、その後に別のユニティ・チューブの第２の部分３ｅを受け入れるように適合された第２の部分７”、その後にユニティ・チューブの第１の部分に向かって日光を反射するための反射体７などを含む。
【００５６】
反応器部分を含むユニティ・チューブ３の部分３ａには、放射吸収部が、太陽エネルギーを熱に変換するように設計された太陽光吸収表面を備えて配置されてよい。そのような太陽吸収表面は、適切な光吸収材料の光吸収層１１として設計されてよい。光吸収層は、熱交換器又は熱伝導部分の外面に装着されてよい（図３を参照されたい）。或いは、そのような層は、断熱部５ａ又はその一部に装着されてもよい。こうして層は、断熱部５ａの内面、たとえば二重壁の真空チューブ内の内側ガラス壁の軸の方に向けられた内面に又はその上に装着されてよく、又はそのような層は、軸から離れるように向けられた内側のガラス壁の外面上にあってもよい。放射吸収部は、伝熱部から、断熱部から、又は真空チューブの内壁の一部から構成される。
【００５７】
太陽光吸収表面によって生成された熱は、所望であれば、たとえば図３及び図４に示すように設計された、本明細書ではこれもまた熱交換器と呼ばれる第１の伝熱部１３ａによってユニティ・チューブ３の反応器部分に伝達することができる。この第１の伝熱部１３ａは、Ａ）ユニティ・チューブ３、Ｂ）加熱及び／又は冷却のための分配システムに連結された金属チューブ１７、及びＣ）断熱部５ａに隣接する３つの伝熱表面を有する。
【００５８】
ユニティ・チューブ３の第１の領域３ａ及び第２の領域３ｅの各々は、したがって、この実施例では、水などの熱搬送媒体の冷却又は加熱のために第１及び第２の伝熱部１３ａ、１３ｅによって取り囲まれ、又は逆になり、それにより、ユニティ・チューブの第１の部分及び第２の部分は熱搬送媒体によって冷却又は加熱されることになる（図３及び図４を参照されたい）。そのような第１及び第２の伝熱部１３ａ、１３ｅは、たとえばアルミニウム又は銅の湾曲した金属パネル１５として設計されてよく、この金属パネル１５は、ユニティ・チューブ３の領域３ａ及び３ｅそれぞれの外面に接触し、隣接する外側部分１５ｏを含む。湾曲パネルはここでは、少なくとも１つの長手方向の湾曲部１５ｂ、すなわち１８０°の湾曲部を有する。この湾曲部は、内側部分１５ｉ及び外側部分１５ｏが、互いに対して平行であるように同軸の円筒形のセグメントであるようにする。湾曲部分１５ｂには、熱搬送媒体が中を流れる長手方向の金属導管１７が配置され、このとき金属導管は、金属パネル１５と金属導管１７の間の良好な熱伝導接触を達成するために湾曲部内にあってよい。金属導管１７は、したがってこれらが配置されるユニティ・チューブ３の部分３ａ又は３ｂと同じ長手方向又は長手方向軸を有する。
【００５９】
図４では、１８０°の２つの湾曲部１５ｂを備える湾曲パネル１５として設計され、互いに対して平行に延びる第１及び第２の伝熱部１３ａ、１３ｅの実施例が示されており、この第１及び第２の伝熱部１３ａ、１３ｅは、パネル１５がユニティ・チューブ３の周りに配置されたとき、比較的互いの近くに配置される。２つの金属チューブ１７を、湾曲した部分１５ｂ内の適所に保つために、フック２３が使用されてよく、このフック２３は、パネル１５及び金属導管１７の長手方向に互いから一定の距離を離して配置され、パネル内の穴を貫通する。各湾曲部１５ｂ内には、２本の金属チューブが使用されるように熱搬送媒体用の金属導管１７が存在し、これらの金属チューブは、図示するように互いに対して平行であり、互いから比較的短い距離を有し、たとえばユニティ・チューブの関連する部分における長手方向軸から測定して大きくても９０°の角度セクター内に、又はより良好には大きくても４５°又は大きくても３０°の角度セクター内にある。
【００６０】
ユニティ・チューブ３の反応器部分は、たとえば、上記で述べた国際特許出願の第２００７／１３９４７６号で示されたように構築され得る。母材はここでは、マットとして装着される。
【００６１】
母材マット
母材３１は、熱伝導金属ネット３９とユニティ・チューブ３の内壁の間に保持される（図２ｄを参照されたい）。ネット３９の金属は、たとえば銅又はステンレス鋼でよい。母材はそれによって、ユニティ・チューブ３内の導管３ａ、３ｅの内壁に押し付けられて母材マットとして配置され、母材３１内で効率的にガスを輸送するように設計された穴４０を含む。チャネル３５がチューブ部分の軸に沿って作り出され、このチャネル３５内には、蒸気又はガスを通すことができる。蒸気又はガスの母材への及びそこからの輸送もまた、母材マット内の穴４０によって及び金属ネット３９によって生じることができる。
【００６２】
ユニティ・チューブ３の反応器部分及び蒸発器／凝縮器部分の２つの他の可能な実施例が次に説明され、これらの例では、吸収材料、すなわち母材材料が、ユニティ・チューブの部分３ａ及び３ｅそれぞれの内壁表面に沿ってストリップとして装着される。ストリップの軸方向に向けられた表面の間には、蒸気及びガスの、材料への及び材料からの並びに中央貫通チャネル３５への及び中央貫通チャネル３５それぞれからの通路のための自由空間が存在する。
【００６３】
金属ワッシャ間の母材
ユニティ・チューブ３の２つの領域３ａ、３ｅの各々は、中央に穴を備えた、たとえば銅又はステンレス鋼の熱伝導金属ワッシャ３３、３４と共に層を成した、中央に穴を備えた母材材料のワッシャ３１によって埋められる（図２ｂを参照されたい）。中央に穴を備えた第１の金属ワッシャ３３は、一方の端部に封止されたチューブ部分３ａ、３ｅ内の下方に置かれ、その後その上に、中央に穴を備えた母材ワッシャが装着され、その上に中央に穴を有する第２の金属ワッシャ３４が続く。他方の金属ワッシャ３４は、中央の穴３５に加えてさらに多くの穴３７を含む（図２ｂを参照されたい）。これらの３つのワッシャ３３、３１、３４は、ユニットを構成する。各々のそのようなユニット間には、図示しないが隔たりチューブが、ユニットを互いから分離するために、またガスがユニット間を通ることを可能にするために配置される。各ユニット内の中央穴３５は、導管３ａ、３ｅの軸に沿って延び、蒸気又はガスが中を通ることができる貫通チャネル３５を構成する。蒸気又はガスはまた、各ユニット内の第２の金属ワッシャ３４内にある別の穴３７を通り抜けることもできる。
【００６４】
らせんとして成形される母材
母材３１は、熱伝導金属ネット３８とユニティ・チューブ３の内壁との間に保持される（図２ｃを参照されたい）。ネット３８内の金属は、たとえば銅又はステンレス鋼でよい。母材３１及び金属ネット３８は、らせんの形態又はヘリックスの形態でユニティ・チューブ３内で導管３ａ、３ｅの内壁に沿って延び、それにより、蒸気又はガスが中を通ることができるチャネル３５が、導管の軸に沿って作り出される。らせん又はヘリックスのピッチは、空間が巻き毎に作り出されるように適合され、この場合蒸気又はガスの通路は、らせん又はヘリックス内に生じることができる。蒸気又はガスは、母材３１へ及び母材３１から、金属ネット３８を通って輸送されてもよい。
【００６５】
化学ヒート・ポンプの構成要素の蓄熱及び放熱の方法は、母材構造を備えたハイブリッド原理による先に説明したヒート・ポンプと同じである。
【００６６】
太陽パネルの使用の実例を説明する。
【００６７】
建物への熱の伝達及び冷却のための太陽駆動式システム
システムは、上記で説明した化学ヒート・ポンプ３と、建物の通常の加熱／冷却システム５３と、タンク５５内のヒートシンク及び氷冷部とを備える本発明の太陽熱パネル５１を備える（図６を参照されたい）。さらに、システムは、蛇口温水及びスイミングプール５９の分配のためのシステム５７を備えることができる。
【００６８】
特筆すべきは、従来の太陽パネル、すなわち化学ヒート・ポンプを備える本発明の太陽熱パネルは、夜間及び日中のすべてで熱を伝え、それに加えて冷却も伝えることができる（図７ａから図７ｄを参照されたい）。
【００６９】
図７ａ及び図７ｂでは、典型的な冬の日の、日中及び夜間それぞれにおいてシステムが建物に熱を伝えるときのシステムの機能が示されている。日中、太陽パネル５１は太陽光からエネルギーを受け入れ、それによって化学ヒート・ポンプ３が蓄熱され、このときその反応器部分はその蒸発器／凝縮器部分よりも大きく加熱される。蓄熱中、熱は蒸発器／凝縮器部分内で形成され、この熱はその熱交換器及び熱搬送媒体によって建物５３の加熱システムに伝達され、任意選択で蛇口温水用のシステム５７に伝達される。太陽放射が停止したとき、化学ヒート・ポンプ３は放熱され、このとき反応器部分は加熱される。反応器部分からの熱は、その熱交換器及び熱搬送媒体によって建物の加熱システムに輸送される。
【００７０】
図７ｃ及び図７ｄは、典型的な夏の日の、日中及び夜間それぞれにおいてシステムが建物に冷却を伝えるときの機能を示している。日中、太陽パネル５１は太陽光からエネルギーを受け入れ、それによって化学ヒート・ポンプ３は、その反応器部分がその蒸発器／凝縮器部分より大きく加熱されるため、蓄熱される。この蓄熱中、熱が蒸発器／凝縮器部分内に形成され、この熱は、その熱交換器及び熱搬送媒体によって建物内の蛇口温水用のシステム５７に伝達され得る。太陽放射が停止したとき、化学ヒート・ポンプは放熱され、それによって反応器部分が加熱され、一方で蒸発器／凝縮器部分は低温になっていく。蒸発器／凝縮器部分からの冷却された熱搬送媒体は、建物の冷却システム５３に導かれる。
【００７１】
別個の太陽パネル及び別個の化学ヒート・ポンプと比べた、本明細書において説明した化学ヒート・ポンプを備える太陽熱パネルの利点としては、限定はしないが、以下の１つ又は複数が挙げられる。
【００７２】
屋内のヒート・ポンプを必要としない。
【００７３】
システムは、液体の代わりに空気によって熱及び冷却を分配することができる。このため、システムのコストを低減し、中断がより少なくなる。
【００７４】
昼日中に太陽からピーク効果を受け取る必要があるとき、すなわちエネルギーの貯蔵が最大限必要とされるとき、化学ヒート・ポンプの全能力が利用される。冷却が夜間に生み出されるとき、これは、夜の最低温度の間の最も容易なときに化学ヒート・ポンプの全能力で生み出され、それによって冷却のＣＯＰをより良好にし、蓄熱及び放熱の間、より小さい装置を利用することができる。
【００７５】
太陽パネル及び化学ヒート・ポンプの組み合わせは、高価な材料の消費を低減する。
【００７６】
太陽エネルギーが導管のシステム内に輸送される必要がないとき、熱損失は最小限に低減される。
【００７７】
熱損失をより少なくすることにより、システムをヒートシンクのより高い温度で作動させることができ、これが意味するのは、ｉ）高温の太陽パネル水を圧送することが必要でないため、導管のシステムの高価な部分を取り除くことができ、ｉｉ）ヒートシンクを太陽パネルに一体化させることができ、それによって冷却タワー及び穿孔穴を取り付ける必要性が低減され、ｉｉｉ）ポンプの必要性が低減するため、必要とされる電気エネルギーに対するコストが低下し、ｉｖ）極めて小さい損失により、より高温でシステムを作動させることが可能になり、ｖ）夏の間、氷の生成によって冷却の品質が良くなり、ｖｉ）凝縮器が利用可能な蛇口温水を生成するときの熱の品質が良くなり、現在のような蛇口温水の事前加熱を使用する代わりに、蛇口温水を直接加熱することができ、それによってシステムが単純化され、ｖｉｉ）冬の間の加熱の品質が良くなり、このとき屋外温度が０℃以下であっても全時間において最初の熱を生み出すことができ、他の熱の蓄積は必要でないことである。
【００７８】
システムは、共同住宅、一戸建て住宅、ホテル、事務所、工場用の１つの太陽パネルから何千もの太陽パネルまで、最終ユーザの必要性に応じて自由に寸法設定することができる、システムは、完全なモジューラ式のものであり、１つのタイプの最終製品を製造するだけでよい。
【００７９】
本発明の特有の実施例を示し、説明してきたが、複数の他の実施例が含まれること及びさらなる利点、改変及び変更が、本発明の観念及び範囲から逸脱することなく当業者に明確になることが認識されなければならない。したがって、より広い態様における本発明は、本明細書で示し説明した特有の詳細、代表的な装置及び実例に限定されない。これに従って、付属の特許請求の範囲及びその等価物によって規定された全体的な発明概念の観念又は範囲から逸脱することなく、さまざまな改変を加えることができる。付属の特許請求の範囲は、本発明の真の観念及び概念に含まれるそのような改変及び変更をすべて含むことを意味することが認識されなければならない。
【図１】
0005885669.tif 000002
【図２ａ】
0005885669.tif 000003
【図２ｂ】
0005885669.tif 000004
【図２ｃ】
0005885669.tif 000005
【図２ｄ】
0005885669.tif 000006
【図３】
0005885669.tif 000007
【図４】
0005885669.tif 000008
【図５ａ】
0005885669.tif 000009
【図５ｂ】
0005885669.tif 000010
【図６】
0005885669.tif 000011
【図７ａ】
0005885669.tif 000012
【図７ｂ】
0005885669.tif 000013
【図７ｃ】
0005885669.tif 000014
【図７ｄ】
0005885669.tif 000015